(57)【要約】【課題】簡易な構成で、蓄電素子と他の物体との間の効果的な断熱を実現する蓄電装置を提供する。【解決手段】１以上の蓄電素子２００を備える蓄電装置１であって、１以上の蓄電素子２００のうちの１つである第一蓄電素子２００ａの側方に配置された第一板材１１１及び第二板材１１２であって、互いの面が対向するように配置された第一板材１１１及び第二板材１１２を備え、第一板材１１１と第二板材１１２との間には、第一板材１１１及び第二板材１１２よりも熱伝導率の低い物質の層である低熱伝導層１６０が形成されている。【選択図】図１１
2015211013.tif 000002
【特許請求の範囲】
【請求項１】
１以上の蓄電素子を備える蓄電装置であって、
前記１以上の蓄電素子のうちの１つである第一蓄電素子の側方に配置された第一板材及び第二板材であって、互いの面が対向するように配置された第一板材及び第二板材を備え、
前記第一板材と前記第二板材との間には、前記第一板材及び前記第二板材よりも熱伝導率の低い物質の層である低熱伝導層が形成されている
蓄電装置。
【請求項２】
前記低熱伝導層は、側面視における、前記第一蓄電素子が有する第一電極体の少なくとも一方向の幅の全域を含む領域において、連続して形成されている
請求項１記載の蓄電装置。
【請求項３】
前記低熱伝導層は、側面視における前記第一電極体の全体を含む前記領域において、連続して形成されている
請求項２記載の蓄電装置。
【請求項４】
前記第一蓄電素子は、前記第一電極体を内包する容器を有し、
前記低熱伝導層は、側面視における前記容器を含む前記領域において、連続して形成されている
請求項３記載の蓄電装置。
【請求項５】
前記蓄電装置は、複数の前記蓄電素子を備え、
前記第一板材及び前記第二板材は、前記第一蓄電素子と、前記複数の前記蓄電素子のうちの１つである第二蓄電素子との間に配置されており、
前記低熱伝導層は、側面視における、前記第一蓄電素子が有する第一電極体と前記第二蓄電素子が有する第二電極体との重複領域を含む領域において連続して形成されている
請求項１または２記載の蓄電装置。
【請求項６】
さらに、前記第一板材及び前記第二板材を支持する支持部材を備え、
前記支持部材は、
基部と、
前記第一板材及び前記第二板材を両側から挟むように前記基部に立設された一対の壁部と、
前記基部における前記一対の壁部の間の位置に突出状に設けられた凸部とを有する
請求項１〜５のいずれか１項に記載の蓄電装置。
【請求項７】
前記第一板材及び前記第二板材に対して配置された少なくとも２つの前記支持部材のうちの１つの前記支持部材は、他の前記支持部材と対向する位置に配置されている
請求項６記載の蓄電装置。
【発明の詳細な説明】
【技術分野】
【０００１】
本発明は、蓄電素子と、当該蓄電素子の側方に配置された板材とを備える蓄電装置に関する。
【背景技術】
【０００２】
複数の蓄電素子を外装体に収容した蓄電装置において、隣り合う蓄電素子の間に、例えばスペーサと呼ばれる仕切部材が設けられた構成が知られている。
【０００３】
また、このような蓄電装置では、例えば、各蓄電素子の熱による劣化または動作不良を抑制するために、各蓄電素子で発生する熱についての対策を講じることが望まれる。
【０００４】
例えば特許文献１には、単位電池間に、複数の管状の部材を有するスペーサが配置された電池パックが開示されている。このスペーサでは、これら管状の部材によって、熱媒体を流す複数の通路が形成されている。
【０００５】
特許文献１には、このような構成により、複数の単位電池が互いに熱影響を受けないようにすることができる旨が記載されている。
【先行技術文献】
【特許文献】
【０００６】
【特許文献１】特開２０１３−１６１７２０号公報
【発明の概要】
【発明が解決しようとする課題】
【０００７】
本発明は、蓄電素子と他の物体との間の効果的な断熱を実現する蓄電装置を提供することを目的とする。
【課題を解決するための手段】
【０００８】
上記目的を達成するために、本発明の一態様に係る蓄電装置は、１以上の蓄電素子を備える蓄電装置であって、前記１以上の蓄電素子のうちの１つである第一蓄電素子の側方に配置された第一板材及び第二板材であって、互いの面が対向するように配置された第一板材及び第二板材を備え、前記第一板材と前記第二板材との間には、前記第一板材及び前記第二板材よりも熱伝導率の低い物質の層である低熱伝導層が形成されている。
【０００９】
この構成によれば、第一蓄電素子の側方に２枚の板材（第一板材及び第二板材）が配置され、２枚の板材の間には低熱伝導層が形成されている。
【００１０】
すなわち、第一蓄電素子の側方の空間が２枚の板材及びその間の低熱伝導層により仕切られ、これにより、低熱伝導層を、例えば、第一蓄電素子において熱源となりうる第一電極体の側方に配置された、熱の移動を抑制する層として存在させることができる。
【００１１】
従って、例えば、第一蓄電素子からの輻射熱、または、第一蓄電素子に向かう輻射熱は２枚の板材によって遮断され、かつ、これら２枚の板材の一方から他方への熱の移動は低熱伝導層によって抑制される。
【００１２】
以上のように、本態様の蓄電装置は、蓄電素子と他の物体との間の効果的な断熱を実現することができる。
【００１３】
また、本発明の一態様に係る蓄電装置において、前記低熱伝導層は、側面視における、前記第一蓄電素子が有する第一電極体の少なくとも一方向の幅の全域を含む領域において、連続して形成されているとしてもよい。
【００１４】
この構成によれば、例えば第一電極体の側面視における上下方向または左右方向の全体が、２枚の板材及びその間の低熱伝導層の配置範囲に収められる。これにより、第一蓄電素子についての断熱が効果的に行われる。
【００１５】
また、本発明の一態様に係る蓄電装置において、前記低熱伝導層は、側面視における前記第一電極体の全体を含む前記領域において、連続して形成されているとしてもよい。
【００１６】
この構成によれば、側面視において、第一電極体の全体が２枚の板材及びその間の低熱伝導層の配置範囲に収められる。これにより、第一蓄電素子についての断熱の確実性が向上される。
【００１７】
また、本発明の一態様に係る蓄電装置において、前記第一蓄電素子は、前記第一電極体を内包する容器を有し、前記低熱伝導層は、側面視における前記容器を含む前記領域において、連続して形成されているとしてもよい。
【００１８】
この構成によれば、側面視において、第一電極体を含む容器の全体が２枚の板材及びその間の低熱伝導層の配置範囲に収められる。これにより、第一蓄電素子についての断熱の確実性がさらに向上される。
【００１９】
また、本発明の一態様に係る蓄電装置は、複数の前記蓄電素子を備え、前記第一板材及び前記第二板材は、前記第一蓄電素子と、前記複数の前記蓄電素子のうちの１つである第二蓄電素子との間に配置されており、前記低熱伝導層は、側面視における、前記第一蓄電素子が有する第一電極体と前記第二蓄電素子が有する第二電極体との重複領域を含む領域において連続して形成されているとしてもよい。
【００２０】
この構成によれば、少なくとも、側面視における第一電極体及び第二電極体の重複範囲に、低熱伝導層が連続して存在する。そのため、第一蓄電素子及び第二蓄電素子の相互間の熱影響を効果的に抑制することができる。
【００２１】
また、本発明の一態様に係る蓄電装置は、さらに、前記第一板材及び前記第二板材を支持する支持部材を備え、前記支持部材は、基部と、前記第一板材及び前記第二板材を両側から挟むように前記基部に立設された一対の壁部と、前記基部における前記一対の壁部の間の位置に突出状に設けられた凸部とを有するとしてもよい。
【００２２】
この構成によれば、例えば、支持部材における一対の壁部の一方と凸部との間に第一板材の端部を挿入し、支持部材における一対の壁部の他方と凸部との間に第二板材の端部を挿入することで、第一板材及び第二板材を所定の間隔をあけて配置することができる。つまり、支持部材は、２枚の板材それぞれに対する支持及び位置決めの役割を担うことができる。
【００２３】
また、第一板材及び第二板材が凸部により離隔されることで、低熱伝導層のための空間領域が確保される。そのため、例えば、大気中においては、第一板材及び第二板材を支持部材に取り付けることのみで、低熱伝導層としての空気層を、第一板材及び第二板材の間に形成させることができる。
【００２４】
また、本発明の一態様に係る蓄電装置において、前記一対の壁部の前記基部からの高さは、前記凸部の前記基部からの高さよりも高いとしてもよい。
【００２５】
この構成によれば、例えば第一板材及び第二板材を一体に有する仕切部材の端部を、一対の壁部に直接的に挟持させることができる。つまり、支持部材に支持させる仕切部材（第一板材及び第二板材を含む仕切部材）についての自由度を増加させることができる。
【００２６】
また、本発明の一態様に係る蓄電装置において、前記支持部材はさらに、前記第一板材及び前記第二板材の少なくとも一方の端縁に設けられた凹状または凸状の係合部と係合する位置決め部を有するとしてもよい。
【００２７】
この構成によれば、例えば、第一板材及び第二板材を支持部材に取り付ける際における、第一板材及び第二板材に対する支持部材の位置決めが可能となる。また、支持部材によって、例えば、第一板材及び第二板材の少なくとも一方の幅方向における位置決め及び位置ずれの抑制が可能となる。
【００２８】
また、本発明の一態様に係る蓄電装置において、前記支持部材は、前記第一板材及び前記第二板材に対して少なくとも２つ配置されているとしてもよい。
【００２９】
この構成によれば、例えば、第一板材及び第二板材のそれぞれの、少なくとも２つの箇所が支持される。そのため、第一板材及び第二板材のより安定的な支持が可能となる。
【００３０】
また、本発明の一態様に係る蓄電装置において、前記第一板材及び前記第二板材に対して配置された少なくとも２つの前記支持部材のうちの１つの前記支持部材は、他の前記支持部材と対向する位置に配置されているとしてもよい。
【００３１】
この構成によれば、例えば、第一板材及び第二板材の上端と下端のそれぞれが支持部材によって支持されるため、これら板材の厚み方向の傾きが抑制される。
【００３２】
また、本発明の一態様に係る蓄電装置において、前記支持部材の一部は、前記支持部材の他の部分とは別体として配置されているとしてもよい。
【００３３】
この構成によれば、例えば、支持部材の一部を他の部分よりも強度の高い材料で作製することなどが可能となる。
【００３４】
また、本発明の一態様に係る蓄電装置において、前記第一板材及び前記第二板材は、互いの端部が結合された一体物として配置されているとしてもよい。
【００３５】
この構成によれば、例えば、第一板材及び第二板材を、１つの部品（１つの仕切部材）として扱うことができるため、例えば、蓄電装置の生産における作業効率の向上、または、部品管理の容易化などが実現される。
【００３６】
また、本発明の一態様に係る蓄電装置において、前記低熱伝導層は、空気層、または、ガラス繊維を含む層であるとしてもよい。
【００３７】
このように、入手が容易で、かつ、扱いが容易な物質の層を、低熱伝導層として採用することができる。つまり、蓄電素子と他の物体との間を効果的に断熱する構造を容易に得ることができる。
【発明の効果】
【００３８】
本発明における蓄電装置によれば、簡易な構成で、蓄電素子と他の物体との間の効果的な断熱を実現することができる。
【図面の簡単な説明】
【００３９】
【図１】実施の形態に係る蓄電装置の外観を示す斜視図である。
【図２】実施の形態に係る蓄電装置を分解した場合の各構成要素を示す分解斜視図である。
【図３】実施の形態に係る単位モジュールの各構成要素を示す分解斜視図である。
【図４】実施の形態に係る蓄電素子を内部を透視して示す斜視図である。
【図５】実施の形態に係る仕切部材及びその周辺の構造を示す分解斜視図である。
【図６】実施の形態に係る仕切部材の支持構造を示す斜視図である。
【図７】実施の形態に係る外装体本体の構成を示す斜視図である。
【図８】実施の形態に係る第三支持部材の外観を示す斜視図である。
【図９】実施の形態に係る仕切部材の、第二支持部材の周辺の構造を示す正面図である。
【図１０】実施の形態に係る仕切部材の、第三支持部材の周辺の構造を示す正面図である。
【図１１】実施の形態に係る２つの蓄電素子とその間の仕切部材との位置関係の一例を示す正面図である。
【図１２】実施の形態に係る蓄電素子とその側方に配置された仕切部材との位置関係の一例を示す側面図である。
【図１３】実施の形態の変形例１に係る２つの蓄電素子とその間の仕切部材との位置関係を示す正面図である。
【図１４】実施の形態の変形例１に係る蓄電素子とその側方に配置された仕切部材との位置関係を示す側面図である。
【図１５】実施の形態の変形例２に係る蓄電素子とその側方に配置された仕切部材との位置関係を示す側面図である。
【図１６】実施の形態の変形例３に係る２つの蓄電素子とその間の仕切部材との位置関係を示す正面図である。
【図１７】実施の形態の変形例３に係る仕切部材の接続部側の端部を第二支持部材に支持させた状態を示す正面図である。
【図１８】実施の形態の変形例４に係る２つの蓄電素子とその間の仕切部材との位置関係を示す正面図である。
【図１９】実施の形態の変形例４に係る２つの電極体の側面視における重複領域を示す図である。
【図２０】実施の形態の変形例５に係る２つの蓄電素子とその間の仕切部材との位置関係を示す正面図である。
【図２１】実施の形態の変形例５に係る２つの電極体の側面視における重複領域を示す図である。
【発明を実施するための形態】
【００４０】
以下、図面を参照しながら、本発明の実施の形態に係る蓄電装置について説明する。なお、各図は、実施の形態またはその変形例に係る蓄電装置の説明のための図であり、必ずしも厳密に図示したものではない。
【００４１】
また、以下で説明する実施の形態は、本発明の一具体例を示すものである。以下の実施の形態で示される数値、形状、材料、構成要素、構成要素の配置位置及び接続形態、組み立て方法、組み立ての順序などは、一例であり、本発明を限定する主旨ではない。また、以下の実施の形態における構成要素のうち、最上位概念を示す独立請求項に記載されていない構成要素については、任意の構成要素として説明される。
【００４２】
（実施の形態）
まず、蓄電装置１の構成について図１〜図４を用いて説明する。
【００４３】
図１は、実施の形態に係る蓄電装置１の外観を示す斜視図である。また、図２は、実施の形態に係る蓄電装置１を分解した場合の各構成要素を示す分解斜視図である。
【００４４】
なお、これらの図では、Ｚ軸方向を上下方向として示しており、以下ではＺ軸方向を上下方向として説明するが、使用態様によってはＺ軸方向が上下方向にならない場合も考えられるため、Ｚ軸方向は上下方向となることには限定されない。他の図においても、同様である。
【００４５】
蓄電装置１は、外部からの電気を充電し、また外部へ電気を放電することができる装置である。例えば、蓄電装置１は、電力貯蔵用途や電源用途などに使用される高電圧の電池モジュールである。
【００４６】
これらの図に示すように、蓄電装置１は、複数の単位モジュール１１、１２及び１３を有するモジュール群１０、下側連結部材２０及び上側連結部材３０を備えている。なお、蓄電装置１における単位モジュールの数は１であってもよい。また、単位モジュールのそれぞれを「蓄電装置」と表現することもできる。
【００４７】
また、蓄電装置１は、例えばＸ軸方向プラス側の端部に、モジュール群１０の内方に冷却媒体（空気等）を流入させる冷却用のファンなどの冷却装置を備えてもよい。
【００４８】
モジュール群１０は、Ｘ軸方向に一列に並ぶ複数の単位モジュール１１、１２及び１３を備えている。また、単位モジュール１１には、後述する正極外部端子のカバーである正極外部端子カバー１１ａと、後述する負極外部端子のカバーである負極外部端子カバー１１ｂとが設けられている。蓄電装置１は、この正極外部端子カバー１１ａ内の正極外部端子と、負極外部端子カバー１１ｂ内の負極外部端子とを介して、外部からの電気を充電し、また外部へ電気を放電する。
【００４９】
単位モジュール１１、１２及び１３は、１以上の蓄電素子を外装体１４に収容した矩形状のモジュールであり、それぞれ同様の構成を有している。また、単位モジュール１１、１２及び１３のうちの隣り合う単位モジュールの正極端子と負極端子とが電気的に接続されることで、単位モジュール１１、１２及び１３内の全ての蓄電素子が直列に接続されている。この単位モジュール１１、１２及び１３の詳細な構成についての説明は、後述する。
【００５０】
下側連結部材２０及び上側連結部材３０は、複数の単位モジュール１１、１２及び１３を連結する部材である。下側連結部材２０は下側の連結部材、上側連結部材３０は、上側の連結部材である。つまり、下側連結部材２０と上側連結部材３０とで単位モジュール１１、１２及び１３を挟み込むように固定することで、単位モジュール１１、１２及び１３が連結される。
【００５１】
具体的には、下側連結部材２０及び上側連結部材３０は、平板状の部材であり、例えば金属などによって形成されている。これにより、単位モジュール１１、１２及び１３を強固に安定して固定することができる。また、下側連結部材２０には、複数の単位モジュール１１、１２及び１３のそれぞれが有する外装体１４が載置される。
【００５２】
次に、モジュール群１０に含まれる単位モジュール１１、１２及び１３の詳細な構成について、説明する。なお、単位モジュール１１、１２及び１３はそれぞれ同様の構成を有するため、以下では単位モジュール１１についての説明を行い、単位モジュール１２及び１３の構成の説明については省略する。
【００５３】
図３は、実施の形態に係る単位モジュール１１の各構成要素を示す分解斜視図である。
【００５４】
同図に示すように、単位モジュール１１は、外装体本体１００と内蓋５００と蓋体８００とからなる外装体１４、及び、外装体１４に収容される１以上の蓄電素子２００（同図では４つの蓄電素子２００）と流路形成部３００と断熱材４００と基板７００などを備えている。
【００５５】
複数の蓄電素子２００のうちの隣り合う２つの蓄電素子２００の一方は第一蓄電素子の一例であり、他方は第二蓄電素子の一例である。
【００５６】
外装体１４は、１以上の蓄電素子２００を内包する、単位モジュール１１の外装体を構成する矩形状（箱状）の容器（モジュールケース）である。外装体１４は、複数の蓄電素子２００および基板７００などを所定の位置に配置し、複数の蓄電素子２００および基板７００などを衝撃などから保護する。また、外装体１４は、例えばポリカーボネートやポリプロピレン（ＰＰ）等の樹脂などの絶縁性の材料により構成されており、蓄電素子２００や基板７００などが外部の金属部材などに接触することを回避する。
【００５７】
外装体１４は、外装体本体１００と内蓋５００と蓋体８００とを有している。外装体本体１００は、外装体１４の本体を構成する有底矩形筒状の部材である。また、外装体本体１００の内方には、仕切部材１１０と支持部材１２０とが配置されている。
【００５８】
仕切部材１１０は、単位モジュール１１が備える蓄電素子２００のうちのいずれかの蓄電素子２００の側方に配置される部材である。本実施の形態では、仕切部材１１０は、隣り合う２つの蓄電素子２００の間に配置され、当該２つの蓄電素子２００の間の空間を仕切る板状部材である。本実施の形態では、４つの蓄電素子２００を仕切るように３つの仕切部材１１０が配置されている。
【００５９】
また、各仕切部材１１０は、第一板材１１１と第二板材１１２とを含む。第一板材１１１と第二板材１１２との間には、第一板材１１１及び第二板材１１２よりも熱伝導率の低い物質の層である低熱伝導層が形成されている。また、各仕切部材１１０は、いずれの蓄電素子２００とも接触しないように配置されている。仕切部材１１０の詳細については、図５〜図１２を用いて後述する。
【００６０】
支持部材１２０は、仕切部材１１０（第一板材１１１及び第二板材１１２）を支持する部材である。本実施の形態では、仕切部材１１０の下端部が支持部材１２０によって支持されている。なお、支持部材１２０は、外装体本体１００の底面に一体に設けられた第一支持部材と、外装体本体１００とは別体として配置された第二支持部材とで構成されている。第一支持部材及び第二支持部材については図５等を用いて後述する。
【００６１】
蓄電素子２００は、電気を充電し、また、電気を放電することのできる二次電池（単電池）であり、より具体的には、リチウムイオン二次電池などの非水電解質二次電池である。蓄電素子２００は、外装体本体１００の内方の２つの仕切部材１１０の間、または仕切部材１１０と外装体本体１００の壁面との間に配置され、外装体本体１００内に収容される。
【００６２】
また、それぞれの蓄電素子２００は、上面に安全弁２２１を備えている。つまり、それぞれの蓄電素子２００は、内圧が上昇した場合に、安全弁２２１から上方へ向けてガスを放出する。なお、単位モジュール１１が備える蓄電素子２００のうちの全ての蓄電素子２００が安全弁２２１を備えていることには限定されず、少なくとも１つの蓄電素子２００が安全弁２２１を備えていればよい。
【００６３】
また、蓄電素子２００は、非水電解質二次電池には限定されず、非水電解質二次電池以外の二次電池であってもよいし、キャパシタであってもよい。
【００６４】
流路形成部３００は、内蓋５００とで、蓄電素子２００の安全弁２２１からの排気の流路を形成する部材であり、安全弁２２１からの排気を外方へ導く部材である。
【００６５】
断熱材４００は、蓄電素子２００の安全弁２２１の排気の流路の内方に配置される矩形状かつ平板形状の部材である。つまり、断熱材４００は、内蓋５００と流路形成部３００とで形成される当該排気の流路の内方に配置される。具体的には、断熱材４００は、内蓋５００と流路形成部３００との間に配置され、また、安全弁２２１と対向する位置かつ基板７００と対向する位置に配置されている。
【００６６】
なお、安全弁２２１からの排気を蓄電装置１（単位モジュール）の外方に向けて排出しようとすれば、当該排気が基板７００に熱などの悪影響を与えることを避けるために、基板７００が配置される空間を当該排気が通過することを避ける必要がある。つまり、排気の流路を基板７００が設けられている空間の下方に設ける必要がある。さらに、複数の蓄電素子２００は、Ｙ軸方向に並んで配置されており、かつ、それぞれがＸ軸方向に並ぶ正極端子２３０及び負極端子２４０を有している。つまり、複数の蓄電素子２００の正極端子２３０及び負極端子２４０の間の空間は、Ｙ軸方向に延びている。このため、排気の流路がＹ軸方向に沿うように形成することで、正極端子２３０及び負極端子２４０の間の空間を有効利用して基板７００を配置でき、かつ、安全弁２２１からの排気による悪影響を基板７００に与えないようにできる構成を実現している。また、排気の流路がＹ軸方向に沿うように形成されるため、当該排気の排出口は、蓄電装置１（単位モジュール）のＹ軸方向側の側面に形成される。
【００６７】
内蓋５００は、外装体１４の内蓋を構成する扁平な矩形状の部材であり、複数の蓄電素子２００の上方に配置される。ここで、内蓋５００は、安全弁２２１と対向する位置に配置されるとともに、基板７００を保持している。つまり、内蓋５００は、安全弁２２１と基板７００との間に配置されている。
【００６８】
このように、内蓋５００は、蓄電素子２００の安全弁２２１側に配置されており、外装体本体１００内での蓄電素子２００の安全弁２２１側への移動を規制する機能も有している。つまり、内蓋５００は、外装体本体１００の内方に嵌め込まれ、複数の蓄電素子２００を上方から押さえ込むことで、複数の蓄電素子２００を外装体本体１００に固定する。
【００６９】
内蓋５００はさらに、図６を用いて後述する、仕切部材１１０の上端を支持する支持部材の位置を固定する役割も担っている。
【００７０】
また、内蓋５００には、正極外部端子６１０、負極外部端子６２０、バスバー６３０、外部配線接続部６４０及び配線経路形成部６５０等が配置されている。
【００７１】
基板７００は、単位モジュール１１が備える蓄電素子２００のうちの少なくとも１つの蓄電素子２００に電気的に接続される電気機器である。具体的には、基板７００は、複数の蓄電素子２００の状態を取得し、監視し、制御することのできる基板であり、配線（リード線）によって複数の蓄電素子２００の正極端子または負極端子に接続されている。
【００７２】
具体的には、基板７００は、複数の蓄電素子２００の充電状態及び放電状態（電圧、温度などの電池状態）などを監視するための制御基板である。基板７００には、例えば、当該監視、リレーのオン及びオフの制御、ならびに、他の機器と通信を行うための制御回路（図示せず）が設けられている。
【００７３】
また、基板７００は、内蓋５００上に配置され、かつ、蓋体８００に覆われるように配置されている。つまり、基板７００は、内蓋５００と蓋体８００とで挟まれることで、内蓋５００と蓋体８００とに保護されるように配置されている。また、このように、上部に電装部品を一体化させることで、蓄電装置１の組立性及びメンテナンス性が向上する。
【００７４】
なお、基板７００は、各単位モジュールに備えられていなくともよく、例えば単位モジュール１１にのみ備えられていてもよい。また、各単位モジュールは、電気機器として、基板７００ではなく、ヒューズなど他の電気機器を内蓋５００上に配置している構成であってもよい。
【００７５】
蓋体８００は、外装体１４の蓋を構成する部材であり、外装体本体１００の開口を塞ぐ扁平な矩形状の部材である。
【００７６】
具体的には、外装体本体１００内方に、複数の蓄電素子２００、流路形成部３００、断熱材４００、内蓋５００、基板７００等の順に配置され、外装体本体１００の開口部が蓋体８００で閉止される。
【００７７】
次に、単位モジュール１１が備える各構成要素について、詳細に説明する。まず、蓄電素子２００の構成について、詳細に説明する。
【００７８】
図４は、実施の形態に係る蓄電素子２００を内部を透視して示す斜視図である。
【００７９】
同図に示すように、蓄電素子２００は、容器２１０、正極端子２３０及び負極端子２４０を備え、容器２１０は、上壁である容器蓋部２２０を備えている。また、容器２１０内方には、電極体２５０、正極集電体２６０及び負極集電体２７０が配置されており、容器蓋部２２０には安全弁２２１が形成されている。なお、容器２１０の内部には電解液などの液体が封入されているが、当該液体の図示は省略する。
【００８０】
容器２１０は、金属からなる矩形筒状で底を備える筐体本体と、当該筐体本体の開口を閉塞する金属製の容器蓋部２２０とで構成されている。また、容器２１０は、電極体２５０等を内部に収容後、容器蓋部２２０と筐体本体とが溶接等されることにより、内部を密封することができるものとなっている。なお、容器２１０の材質は、特に限定されないが、例えばステンレス鋼やアルミニウムなど溶接可能な金属であるのが好ましい。
【００８１】
電極体２５０は、正極と負極とセパレータとを備え、電気を蓄えることができる発電要素である。具体的には、電極体２５０は、正極と負極との間にセパレータが挟み込まれるように層状に配置されたものを全体が長円形状となるように巻回されて形成された巻回型の電極体である。なお、電極体２５０の種類は巻回型に限定されず、例えば、平板状極板を積層した積層型の電極体であってもかまわない。
【００８２】
ここで、正極は、アルミニウムまたはアルミニウム合金などからなる長尺帯状の導電性の正極集電箔の表面に正極活物質層が形成された電極板である。負極は、銅または銅合金などからなる長尺帯状の導電性の負極集電箔の表面に負極活物質層が形成された電極板である。セパレータは、微多孔性のシートである。
【００８３】
なお、蓄電素子２００に用いられる正極、負極及びセパレータは、特に従来用いられてきたものと異なるところはなく、蓄電素子２００の性能を損なうものでなければ適宜公知の材料を使用できる。
【００８４】
また、容器２１０に封入される電解液（非水電解質）としても、蓄電素子２００の性能を損なうものでなければその種類に特に制限はなく様々なものを選択することができる。
【００８５】
正極端子２３０は、正極集電体２６０を介して、電極体２５０の正極に電気的に接続された電極端子であり、負極端子２４０は、負極集電体２７０を介して、電極体２５０の負極に電気的に接続された電極端子であり、いずれも容器蓋部２２０に取り付けられている。つまり、正極端子２３０及び負極端子２４０は、電極体２５０に蓄えられている電気を蓄電素子２００の外部空間に導出し、また、電極体２５０に電気を蓄えるために蓄電素子２００の内部空間に電気を導入するための金属製の電極端子である。
【００８６】
具体的には、蓄電装置１に備えられた複数の蓄電素子２００のうち正極外部端子６１０に最も近い蓄電素子２００の正極端子２３０が正極外部端子６１０と接続され、当該蓄電素子２００の負極端子２４０は、隣の蓄電素子２００の正極端子２３０と接続される。
【００８７】
また同様に、当該複数の蓄電素子２００のうち負極外部端子６２０に最も近い蓄電素子２００の負極端子２４０が負極外部端子６２０と接続され、当該蓄電素子２００の正極端子２３０は、隣の蓄電素子２００の負極端子２４０と接続される。
【００８８】
また、その他の蓄電素子２００の正極端子２３０または負極端子２４０は、隣接する蓄電素子２００の負極端子２４０または正極端子２３０と接続される。
【００８９】
正極集電体２６０は、電極体２５０の正極と容器２１０の側壁との間に配置され、正極端子２３０と正極とに電気的に接続される導電性と剛性とを備えた部材である。なお、正極集電体２６０は、正極の正極集電箔と同様、アルミニウムまたはアルミニウム合金などで形成されている。また、負極集電体２７０は、電極体２５０の負極と容器２１０の側壁との間に配置され、負極端子２４０と電極体２５０の負極とに電気的に接続される導電性と剛性とを備えた部材である。なお、負極集電体２７０は、負極の負極集電箔と同様、銅または銅合金などで形成されている。
【００９０】
次に、実施の形態に係る仕切部材１１０及びその周辺の構造等について、図５〜図１２を用いて説明する。
【００９１】
図５は、実施の形態に係る仕切部材１１０及びその周辺の構造を示す分解斜視図である。
【００９２】
図６は、実施の形態に係る仕切部材１１０の支持構造を示す斜視図である。
【００９３】
図７は、実施の形態に係る外装体本体１００の構成を示す斜視図である。
【００９４】
図５に示すように、外装体本体１００の内方には、３つの仕切部材１１０が配置される。なお、図５では、これら３つの仕切部材１１０を区別するために、各仕切部材１１０に、１１０ａ、１１０ｂ及び１１０ｃのいずれかが付されている。
【００９５】
仕切部材１１０は、図５及び図６に示されるように、互いの面が対向するように配置された第一板材１１１及び第二板材１１２を含む。
【００９６】
第一板材１１１及び第二板材１１２は、断熱性を有する部材であり、例えば、マイカ片を集積し結合させることで得られるダンマ材によって形成されている。なお、第一板材１１１及び第二板材１１２の素材はダンマ材に限定されず、例えば、セラミック、ガラス繊維、及び、フェノール樹脂またはエポキシ樹脂等の樹脂のそれぞれ、またはこれらのうちの２以上の組み合わせによって、第一板材１１１及び第二板材１１２が形成されてもよい。また、第一板材１１１及び第二板材１１２のそれぞれの表面に耐熱塗料がコーティングされていてもよい。
【００９７】
仕切部材１１０の、外装体本体１００の底面側の端部（以下「下端部」という。）１１５は、支持部材１２０によって支持されている。
【００９８】
本実施の形態に係る支持部材１２０は、仕切部材１１０（第一板材１１１及び第二板材１１２）の幅方向（本実施の形態におけるＸ軸方向）に長尺状であり、一部が他の部分とは別体として配置されている。
【００９９】
具体的には、支持部材１２０は、外装体本体１００の底面に一体に設けられた第一支持部材１２１と、外装体本体１００とは別体として配置された第二支持部材１２２とで構成されている。
【０１００】
なお、本実施の形態では、１つの支持部材１２０は、３つの第一支持部材１２１と２つの第二支持部材１２２とを有する。つまり、１つの支持部材１２０には２つの第二支持部材１２２が取り付けられ、外装体本体１００には、合計６つの第二支持部材１２２が配置される。なお、図５では、これら６つの第二支持部材１２２を区別するために、各第二支持部材１２２に、１２２ａ〜１２２ｆのいずれかが付されている。また、図６では、第一支持部材１２１は、点線により概念的に図示されている。
【０１０１】
支持部材１２０は、例えば図６に示すように、基部１２３と、第一板材１１１及び第二板材１１２を両側から挟むように基部１２３に立設された一対の壁部１２４と、基部１２３における一対の壁部１２４の間の位置に突出状に設けられた凸部１２５とを有する。
【０１０２】
凸部１２５は、第一板材１１１及び第二板材１１２の間に挿入された場合に、第一板材１１１及び第二板材１１２の間を、後述する低熱伝導層の厚みに対応する距離だけ離隔させる。つまり、支持部材１２０は、第一板材１１１及び第二板材１１２を、凸部１２５によって所定の距離だけ離した状態で支持する。
【０１０３】
ここで、支持部材１２０が有する、仕切部材１１０の支持のための構成は、第一支持部材１２１と第二支持部材１２２とで共通である。つまり、基部１２３、一対の壁部１２４、及び凸部１２５は、第一支持部材１２１及び第二支持部材１２２の双方に備えられている。
【０１０４】
本実施の形態に係る複数の第二支持部材１２２は、外装体本体１００の底面における複数の配置面部１０５（図７参照）に配置される。
【０１０５】
仕切部材１１０が外装体本体１００に配置される場合、例えば、一列に並ぶ３つの第一支持部材１２１の間に存在する２つの配置面部１０５のそれぞれに、第二支持部材１２２を配置する。これにより、１つの仕切部材１１０に対応する一条の支持部材１２０が構成される。
【０１０６】
その後、当該支持部材１２０に仕切部材１１０の下端部１１５が挿入される。このとき、第一板材１１１の下端部１１５が、一対の壁部１２４の一方と凸部１２５との間に挿入され、第二板材１１２の下端部１１５が、一対の壁部１２４の他方と凸部１２５との間に挿入される。
【０１０７】
なお、仕切部材１１０の配置手順はこれに限られない。例えば、仕切部材１１０（第一板材１１１及び第二板材１１２）の下端部１１５に２つの第二支持部材１２２を取り付け、その状態で、一列に並ぶ３つの第一支持部材１２１への仕切部材１１０の下端部１１５の挿入と、２つの第二支持部材１２２それぞれの配置面部１０５への配置とを実行してもよい。
【０１０８】
また、本実施の形態に係る仕切部材１１０は、図６に示すように、外装体本体１００の底面とは反対側の端部（以下、「上端部」という。）１１６が、第三支持部材１５０によって支持されている。
【０１０９】
本実施の形態では、第三支持部材１５０は、主として、仕切部材１１０の厚み方向の傾きの抑制、ならびに、上端部１１６における第一板材１１１と第二板材１１２との間隔維持の役目を担っている。
【０１１０】
第三支持部材１５０は、支持部材１２０（第一支持部材１２１、第二支持部材１２２）と同様に、基部１５３と、基部１５３に立設された一対の壁部１５４と、一対の壁部１５４の間に配置された凸部１５５とを有する。
【０１１１】
なお、本実施の形態では、第三支持部材１５０における一対の壁部１５４の間の距離は、支持部材１２０における一対の壁部１２４の間の距離と等しい。また、第三支持部材１５０における壁部１５４と凸部１５５との間の距離は、支持部材１２０における壁部１２４と凸部１２５との間の距離に等しい。
【０１１２】
仕切部材１１０を第三支持部材１５０に取り付ける場合、第一板材１１１の上端部１１６が、一対の壁部１５４の一方と凸部１５５との間に挿入され、第二板材１１２の上端部１１６が、一対の壁部１５４の他方と凸部１５５との間に挿入される。
【０１１３】
なお、３つの仕切部材１１０のそれぞれに取り付けられる第三支持部材１５０それぞれの基部１５３は、例えば内蓋５００（図３参照）の、蓄電素子２００側の面（内面）に嵌合する。これにより、各第三支持部材１５０の、横方向（実施の形態におけるＸＹ平面に平行な方向）の移動が規制される。また、内蓋５００そのものが、第三支持部材１５０と同じ機能を有していてもよい。例えば、一対の壁部１５４および凸部１５５が、内蓋５００の一部として内蓋５００の内面に形成されていてもよい。
【０１１４】
また、図６に示すように、第一板材１１１及び第二板材１１２の端縁に凹状の係合部１１７が設けられており、第三支持部材１５０は、係合部１１７と係合する要素を有している。
【０１１５】
図８は、実施の形態に係る第三支持部材１５０の外観を示す斜視図である。
【０１１６】
図８に示すように、第三支持部材１５０は、一対の壁部１５４の間に、基部１５３から突出状に設けられた位置決め部１５６を有している。
【０１１７】
位置決め部１５６が、係合部１１７と係合することで、例えば、第三支持部材１５０の、仕切部材１１０（第一板材１１１及び第二板材１１２）に対する位置決めが可能となる。
【０１１８】
また、上述のように、例えば内蓋５００によって、第三支持部材１５０の横方向の位置が規制される。そのため、第三支持部材１５０が位置決め部１５６を有することで、例えば、仕切部材１１０の、幅方向における位置決め及び位置ずれの抑制も可能となる。
【０１１９】
なお、係合部１１７と位置決め部１５６とは、互いに係合する構造を有していればよい。例えば、第三支持部材１５０の基部１５３に凹状に設けられた位置決め部１５６と、仕切部材１１０の上端部１１６に凸状に設けられた係合部１１７とが係合してもよい。
【０１２０】
また、係合部１１７は、第一板材１１１及び第二板材１１２の少なくとも一方に備えられていればよい。係合部１１７が第一板材１１１及び第二板材１１２の一方にのみ備えられている場合であっても、係合部１１７と位置決め部１５６とが係合することで、例えば、第三支持部材１５０の、仕切部材１１０に対する位置決めは可能である。
【０１２１】
このように、本実施の形態に係る仕切部材１１０は、蓄電素子２００の側方に配置され、仕切部材１１０は、互いの面が対向するように配置された第一板材１１１及び第二板材１１２を有する。
【０１２２】
また、第一板材１１１及び第二板材１１２は、互いに離隔して配置されており、その結果、第一板材１１１と第二板材１１２との間に、第一板材１１１及び第二板材１１２の面に平行な方向に広がる空間が形成されている。
【０１２３】
本実施の形態では、支持部材が有する凸部によって、第一板材１１１と第二板材１１２との間の距離が維持されている。
【０１２４】
図９は、仕切部材１１０の、第二支持部材１２２の周辺の構造を示す正面図であり、図１０は、仕切部材１１０の、第三支持部材１５０の周辺の構造を示す正面図である。
【０１２５】
なお、ある蓄電素子２００に着目した場合、当該蓄電素子２００と、当該蓄電素子２００の側方に配置された仕切部材１１０との並び方向から（本実施の形態におけるＹ軸方向）から蓄電素子２００及び仕切部材１１０の少なくとも一方を見る場合を「側面視」と表現し、側面視における図（透視図を含む）を「側面図」と表現する。また、本実施の形態におけるＸ軸方向から蓄電素子２００及び仕切部材１１０の少なくとも一方を見る場合を「正面視」と表現し、正面視における図（透視図を含む）を「正面図」と表現する。
【０１２６】
図９及び図１０に示すように、第一板材１１１及び第二板材１１２の端部の間に、支持部材に備えられた凸部が存在する。
【０１２７】
具体的には、第一板材１１１及び第二板材１１２の下端部１１５の間に、第二支持部材１２２（支持部材１２０）の凸部１２５が存在し、第一板材１１１及び第二板材１１２の上端部１１６の間に、第三支持部材１５０の、凸部１５５が存在する。
【０１２８】
また、第一板材１１１及び第二板材１１２はともに平板状である。その結果、第一板材１１１及び第二板材１１２の間に連続する空間が形成され、この空間が、低熱伝導層１６０として機能する。
【０１２９】
なお、図９及び図１０では、第一板材１１１、第二板材１１２、及び低熱伝導層１６０を視認し易いように、第一板材１１１及び第二板材１１２には細かいドットが付され、低熱伝導層１６０には粗いドットが付されている。このことは、後述する図１１、図１３、図１６〜図１８、及び図２０でも同じである。
【０１３０】
低熱伝導層１６０は、第一板材１１１及び第二板材１１２よりも熱伝導率の低い物質の層である。本実施の形態では、例えばダンマ材を素材とする第一板材１１１及び第二板材１１２の間に存在する空気によって、低熱伝導層１６０が形成されている。なお、空気の熱伝導率は、ダンマ材の熱伝導率の１０分の１程度である。
【０１３１】
また、第一板材１１１及び第二板材１１２の厚みは例えば１ｍｍであり、低熱伝導層１６０の厚みも例えば１ｍｍである。この場合、凸部１２５及び凸部１５５の厚み（突出方向と直交する方向の幅）も１ｍｍである。
【０１３２】
また、低熱伝導層１６０は、蓄電素子２００の電極体２５０の側面視における幅に応じた領域において連続して広がっている。
【０１３３】
図１１は、２つの蓄電素子２００とその間の仕切部材１１０との位置関係の一例を示す正面図であり、図１２は、蓄電素子２００とその側方に配置された仕切部材１１０との位置関係の一例を示す側面図である。
【０１３４】
なお、図１１に示す２つの蓄電素子２００を第一蓄電素子２００ａ及び第二蓄電素子２００ｂとし、第一蓄電素子２００ａが有する電極体２５０を第一電極体２５０ａとし、第二蓄電素子２００ｂが有する電極体２５０を第二電極体２５０ｂとする。
【０１３５】
また、図１２は、第一蓄電素子２００ａ及び仕切部材１１０を、仕切部材１１０の側から見た図であり、仕切部材１１０を透視した状態で、第一蓄電素子２００ａが図示されている。また、低熱伝導層１６０はドットを付した領域で表されている。これらのことは、後述する図１４及び図１５でも同じである。
【０１３６】
この場合において、本実施の形態に係る低熱伝導層１６０の範囲は以下のように説明される。すなわち、本実施の形態では、例えば図１２に示すように、低熱伝導層１６０は、側面視における第一電極体２５０ａの全体を含む領域において、連続して形成されている。
【０１３７】
そのため、例えば、第一蓄電素子２００ａの第一電極体２５０ａが発熱した場合において、その熱の第二蓄電素子２００ｂへの伝導が効果的に抑制される。また、第二蓄電素子２００ｂが発熱した場合において、その熱の第一電極体２５０ａへの伝導が効果的に抑制される。
【０１３８】
より詳細には、仕切部材１１０は、第一板材１１１及び第二板材１１２を有するため、これら２枚の板材により、第一蓄電素子２００ａ及び第二蓄電素子２００ｂの一方から他方への輻射熱が遮断される。
【０１３９】
また、第一板材１１１と第二板材１１２との間には低熱伝導層１６０が存在するため、例えば、第一板材１１１及び第二板材１１２の一方から他方への熱伝導が抑制される。
【０１４０】
さらに、このような効果を奏する低熱伝導層１６０が、側面視における第一電極体２５０ａの全体を含む領域に広がっている。そのため、第一電極体２５０ａで発生する熱からの、他の物体（図１１では第二蓄電素子２００ｂ）の保護が効果的に行える。また、逆に、他の物体（図１１では第二蓄電素子２００ｂ）で発生する熱からの、第一電極体２５０ａの保護も効果的に行える。
【０１４１】
なお、本実施の形態では、第一板材１１１及び第二板材１１２の外側（蓄電素子２００側）の面は、蓄電素子２００と接触していない。つまり、蓄電素子２００と仕切部材１１０との間にも空気層が存在し、このことによっても、蓄電素子２００に対する仕切部材１１０による断熱効果は向上される。
【０１４２】
ここで、本実施の形態では、複数の蓄電素子２００は同一種類の単電池であり、各蓄電素子２００は、外装体本体１００の底面に沿って並べられる。そのため、図１１及び図１２に示すように、低熱伝導層１６０は、第一電極体２５０ａと第二電極体２５０ｂとの重複領域Ａａを含む領域において連続して広がるように形成されていることになる。
【０１４３】
その結果、第一蓄電素子２００ａ及び第二蓄電素子２００ｂの相互間の熱影響を効果的に抑制することができる。
【０１４４】
以上のように、本発明の実施の形態に係る蓄電装置１では、蓄電素子２００の側方に、第一板材１１１及び第二板材１１２が、互いの面が対向するように配置されている。また、第一板材１１１及び第二板材１１２の間には低熱伝導層１６０が形成されている。この低熱伝導層１６０は、第一板材１１１及び第二板材１１２よりも熱伝導率の低い物質の層である。
【０１４５】
これにより、蓄電素子２００からの輻射熱、および、蓄電素子２００に向かう輻射熱は２枚の板材（１１１、１１２）によって遮断され、これら２枚の板材（１１１、１１２）の一方から他方への熱の移動は低熱伝導層１６０によって抑制される。つまり、蓄電素子２００についての効果的な断熱が実現される。また、この効果は、第一板材１１１、低熱伝導層１６０、及び第二板材１１２を、この順に並ぶように配置するという簡易な構成で得ることができる。
【０１４６】
また、低熱伝導層１６０は、側面視における電極体２５０の全体を含む領域において、連続して形成されている。つまり、側面視における電極体２５０の全体が２枚の板材（１１１、１１２）及びその間の低熱伝導層１６０の配置範囲に収められる。これにより、蓄電素子２００についての断熱の確実性が向上される。
【０１４７】
また、第一板材１１１及び第二板材１１２は、２つの蓄電素子２００の間に配置されており、低熱伝導層１６０は、側面視における、当該２つの蓄電素子２００それぞれの電極体２５０の重複領域を含む領域において連続して形成されている。そのため、当該２つの蓄電素子２００の相互間の熱影響を効果的に抑制することができる。
【０１４８】
また、蓄電装置１は、第一板材１１１及び第二板材１１２を支持する支持部材１２０を備える。支持部材１２０は、基部１２３と、基部１２３に立設された一対の壁部１２４と、基部１２３における一対の壁部１２４の間の位置に突出状に設けられた凸部１２５とを有する。
【０１４９】
支持部材１２０が凸部１２５を有することで、第一板材１１１及び第二板材１１２の間に凸部１２５が挿入された場合に、第一板材１１１及び第二板材１１２の間を、低熱伝導層１６０の厚みに対応する距離だけ離隔させることができる。
【０１５０】
このように、第一板材１１１及び第二板材１１２は、支持部材１２０によって支持され、かつ、互いの間の距離が支持部材１２０によって維持される。その結果、例えば低熱伝導層１６０が安定的に維持される。
【０１５１】
なお、本実施の形態における第三支持部材１５０は、支持部材１２０と共通する構造を有しており、これにより、低熱伝導層１６０の安定的な維持等の、支持部材１２０と同じ効果を奏することができる。
【０１５２】
また、第三支持部材１５０は、突出状に設けられた位置決め部１５６を有しており、位置決め部１５６は、仕切部材１１０の係合部１１７と係合する。これにより、例えば、第三支持部材１５０の、仕切部材１１０（第一板材１１１及び第二板材１１２）に対する位置決め等が可能となる。
【０１５３】
また、第一板材１１１及び第二板材１１２に対して少なくとも２つの支持部材が配置されている。本実施の形態では、一組の第一板材１１１及び第二板材１１２を有する仕切部材１１０に対し、支持部材１２０と第三支持部材１５０とが配置されている。また、支持部材１２０の一部である第二支持部材１２２が、支持部材１２０の他の部分である第一支持部材１２１と別体であることに着目すると、仕切部材１１０に対し、２つの第二支持部材１２２が配置されているということもできる。
【０１５４】
このように、第一板材１１１及び第二板材１１２を複数の支持部材で支持することで、第一板材１１１及び第二板材１１２のより安定的な支持が可能となる。
【０１５５】
また、第一板材１１１及び第二板材１１２に対して配置された少なくとも２つの支持部材のうちの１つの支持部材は、他の支持部材と対向する位置に配置されている。本実施の形態では、支持部材１２０（第一支持部材１２１及び第二支持部材１２２）と、第三支持部材１５０とが、第一板材１１１及び第二板材１１２を含む仕切部材１１０において互いに対向する位置に配置されている。そのため、例えば、蓄電装置１に振動が加えられた場合において、仕切部材１１０の厚み方向への傾きが抑制される。
【０１５６】
また、支持部材１２０の一部は、支持部材１２０の他の部分とは別体として配置されている。本実施の形態では、支持部材１２０は、第一支持部材１２１と第二支持部材１２２とを含み、第二支持部材１２２は、第一支持部材１２１とは別体である。そのため、例えば、第二支持部材１２２を、外装体本体１００の一部である第一支持部材１２１よりも強度の高い材料で作製することなどが可能となる。
【０１５７】
なお、蓄電装置１は、図１１等に示す仕切部材１１０とは異なる構成の仕切部材１１０を備えてもよい。そこで、以下に、実施の形態に係る仕切部材１１０に関する各種の変形例を、上記実施の形態との差分を中心に説明する。
【０１５８】
（変形例１）
図１３は、実施の形態の変形例１に係る２つの蓄電素子２００とその間の仕切部材１１０との位置関係を示す正面図である。図１４は、実施の形態の変形例１に係る蓄電素子２００と、その側方に配置された仕切部材１１０との位置関係を示す側面図である。
【０１５９】
図１３及び図１４に示す仕切部材１１０は、第一板材１１１及び第二板材１１２を有し、第一板材１１１及び第二板材１１２の間に、低熱伝導層１６０が形成されている。この点においては、上記実施の形態に係る仕切部材１１０と同じである。
【０１６０】
しかし、本変形例に係る仕切部材１１０に形成された低熱伝導層１６０は、側面視における電極体２５０の全体を含む領域（本変形例では重複領域Ａａ）の一部には広がっていない。
【０１６１】
具体的には、低熱伝導層１６０は、側面視における電極体２５０の一方向の幅（本変形例では、Ｘ軸方向）の全域を含む領域において連続して形成されている。また、低熱伝導層１６０は、側面視における電極体２５０の他方向（本変形例では、Ｚ軸方向）の一部のみに連続して広がっている。
【０１６２】
つまり、本変形例に係る低熱伝導層１６０の領域は、上記実施の形態に係る低熱伝導層１６０の領域よりも狭い。
【０１６３】
しかしながら、図１２及び図１３に示すように、低熱伝導層１６０が存在しない領域に例えば支持部材１２０が存在することで、側面視における電極体２５０の全体が２枚の板材（１１１、１１２）、低熱伝導層１６０、及び支持部材１２０の配置範囲に収められる。
【０１６４】
このように、低熱伝導層１６０は、側面視における電極体２５０の全体を含む領域の全てにおいて連続して広がっている必要はなく、例えば、側面視における電極体２５０の一方向のみの幅の全域を含む領域において連続して形成されていてもよい。
【０１６５】
この場合であっても、低熱伝導層１６０を有する仕切部材１１０により、例えば、仕切部材１１０を挟んで隣り合う２つの蓄電素子２００（第一蓄電素子２００ａ及び第二蓄電素子２００ｂ）の相互間の熱影響が抑制される。
【０１６６】
（変形例２）
図１５は、実施の形態の変形例２に係る蓄電素子２００とその側方に配置された仕切部材１１０との位置関係を示す側面図である。
【０１６７】
図１５に示す仕切部材１１０は、第一板材１１１及び第二板材１１２を有し、第一板材１１１と第二板材１１２と間に、低熱伝導層１６０が形成されている。この点については、上記実施の形態に係る仕切部材１１０と共通している。しかし、本変形例では、低熱伝導層１６０が広がる領域が上記実施の形態よりも広い点に特徴を有する。
【０１６８】
具体的には、本変形例に係る低熱伝導層１６０は、側面視における、蓄電素子２００の容器２１０を含む領域において、連続して形成されている。
【０１６９】
具体的には、本変形例では、側面視において、電極体２５０を含む容器２１０の全体が２枚の板材（第一板材１１１、第二板材１１２）及びその間の低熱伝導層１６０の配置範囲に収められている。
【０１７０】
その結果、容器２１０を介した他の物体（他の蓄電素子２００等）との熱のやり取りが抑制される。つまり、仕切部材１１０の側方の蓄電素子２００についての断熱の確実性がさらに向上される。
【０１７１】
（変形例３）
図１６は、実施の形態の変形例３に係る２つの蓄電素子２００とその間の仕切部材１７０との位置関係を示す正面図である。
【０１７２】
図１６に示す、本変形例に係る仕切部材１７０は、第一板材１１１及び第二板材１１２を有し、第一板材１１１と第二板材１１２との間に、低熱伝導層１６０が形成されている。この点については、上記実施の形態に係る仕切部材１１０と共通している。しかし、本変形例に係る仕切部材１７０は、第一板材１１１と第二板材１１２とが接続部１１９によって接続されている点で、上記実施の形態に係る仕切部材１１０とは異なる。
【０１７３】
つまり、本変形例において、第一板材１１１及び第二板材１１２は、互いの端部が結合された一体物（仕切部材１７０）として、蓄電素子２００の側方に配置されている。
【０１７４】
この場合、第一板材１１１及び第二板材１１２を、１つの部品（１つの仕切部材）として扱うことができる。そのため、例えば、蓄電装置１の生産における作業効率の向上、または、部品管理の容易化などが実現される。
【０１７５】
また、接続部１１９は、仕切部材１１０の一端において、第一板材１１１と第二板材１１２との間の距離（低熱伝導層１６０の厚み）を維持する役目を果たすこともできる。
【０１７６】
なお、このような態様の仕切部材１７０は、例えば、ダンマ材を図１６に示す形状に成形することで作製される。また、塑性変形可能な板材に折り曲げ加工を行うことで、仕切部材１７０が作製されてもよい。
【０１７７】
ここで、仕切部材１７０では、第一板材１１１と第二板材１１２との熱的な接合部分として接続部１１９が存在することになる。しかし、例えば、接続部１１９の厚みを第一板材１１１および第二板材１１２の厚み以下とすることで、第一板材１１１および第二板材１１２の一方から他方への、接続部１１９を介した熱の伝導量は抑制される。また、例えば、接続部１１９を、仕切部材１７０の幅方向（Ｘ軸方向）の一部のみに設けることでも、第一板材１１１および第二板材１１２の一方から他方への、接続部１１９を介した熱の伝導量は抑制される。
【０１７８】
また、接続部１１９は、仕切部材１７０における端部に設けられるため、仕切部材１７０の側方の蓄電素子２００が有する電極体２５０からは比較的に遠い位置に存在する。そのため、仮に、接続部１１９が比較的に高温になった場合であっても、接続部１１９が当該蓄電素子２００に与える熱の影響は抑えられる。
【０１７９】
また、図１６では、第一板材１１１及び第二板材１１２と、正面視において直線状の接続部１１９との間は略直角である。つまり、図１６に示す仕切部材１７０は、１枚の板材の２箇所の屈曲させた形状を有している。しかし、仕切部材１７０の形状はこれに限られず、例えば、接続部１１９が図１６において上方に凸の湾曲状であってもよい。つまり、仕切部材１７０は、１枚の板材の一箇所を湾曲させることで得られる形状を有していてもよい。
【０１８０】
なお、図１６における仕切部材１７０の上端部に第三支持部材１５０（例えば図１０参照）を配置する場合、例えば、第三支持部材１５０の一対の壁部１５４に仕切部材１７０の上端部を挟持させてもよい。また、例えば、仕切部材１７０の上端部に切り欠きを設けることで、第三支持部材１５０の位置決め部１５６（図８参照）と、当該切り欠きとを係合させてもよい。
【０１８１】
つまり、第三支持部材１５０における一対の壁部１５４の基部１５３からの高さは、凸部１５５の基部１５３からの高さよりも高い。そのため、このように、一対の壁部１５４に仕切部材１７０の上端部（接続部１１９が存在する端部）を挟持させることは可能である。
【０１８２】
また、外装体本体１００の底面に配置される支持部材１２０における一対の壁部１２４と凸部１２５との高さの関係も同様である。すなわち、支持部材１２０における一対の壁部１２４の基部１２３からの高さは、凸部１２５の基部１２３からの高さよりも高い。そのため、仕切部材１７０の、接続部１１９が存在する側の端部を、支持部材１２０（第一支持部材１２１、第二支持部材１２２）に支持させることも可能である。
【０１８３】
図１７は、実施の形態の変形例３に係る仕切部材１７０の接続部１１９側の端部を第二支持部材１２２に支持させた状態を示す正面図である。
【０１８４】
図１７に示すように、仕切部材１７０の接続部１１９側の端部は、接続部１１９が存在することにより、凸部１２５を第一板材１１１と第二板材１１２との間に挿入することができない。しかし、第二支持部材１２２における壁部１２４の基部１２３からの高さは、凸部１２５の基部１２３からの高さよりも高いため、仕切部材１７０の当該端部を、一対の壁部１２４に挟持させることは可能である。
【０１８５】
そのため、例えば、上記実施の形態に係る蓄電装置１において、外装体本体１００に配置される３つの仕切部材１１０（図５参照）のうちのいずれかを、仕切部材１７０に置き換え、図１７に示す態様で支持させることが可能である。
【０１８６】
なお、仕切部材１７０と同一（略同一も含む、以下同じ）の厚みを有する仕切部材であれば、低熱伝導層１６０の有無に関わらず、支持部材１２０（第一支持部材１２１、第二支持部材１２２）の一対の壁部１２４に端部を挟持させることで支持させることは可能である。このことは、第三支持部材１５０についても同じである。
【０１８７】
そのため、例えば、上記実施の形態に係る蓄電装置１において、外装体本体１００に配置される３つの仕切部材１１０（例えば図５参照）のうちのいずれかを、仕切部材１７０と同一の厚みを有し、かつ、内側に低熱伝導層１６０が形成されていない仕切部材に置き換えることも可能である。
【０１８８】
（変形例４）
図１８は、実施の形態の変形例４に係る２つの蓄電素子２００とその間の仕切部材１１０との位置関係を示す正面図である。
【０１８９】
図１９は、実施の形態の変形例４に係る２つの電極体２５０の側面視における重複領域を示す図である。
【０１９０】
図１８に示すように、本変形例における２つの蓄電素子２００（第一蓄電素子２００ａ、第二蓄電素子２００ｂ）は、上記実施の形態とは異なり、仕切部材１１０（第一板材１１１、第二板材１１２）の厚み方向と交差する方向（本実施の形態では、ＸＺ平面に平行な方向）にずれて配置されている。
【０１９１】
本変形例では、このようにずれて配置された第一蓄電素子２００ａと第二蓄電素子２００ｂとの間に、仕切部材１１０が配置されている。
【０１９２】
本変形例に係る仕切部材１１０は、上記実施の形態に係る仕切部材１１０と同じく、第一板材１１１及び第二板材１１２を有し、第一板材１１１と第二板材１１２との間に、低熱伝導層１６０が形成されている。
【０１９３】
本変形例に係る低熱伝導層１６０は、具体的には、側面視における第一電極体２５０ａと第二電極体２５０ｂとの重複領域Ａｂを含む領域において連続して形成されている。
【０１９４】
つまり、２つの蓄電素子２００がずれて配置された場合、側面視における２つの電極体２５０の重複領域Ａｂは、他の領域と比較すると、２つの電極体２５０の一方からの熱が他方に影響を与えやすい領域である。
【０１９５】
従って、この重複領域Ａｂの奥行き方向（２つの蓄電素子２００の並び方向）の空間を遮断するように仕切部材１１０を配置する。これにより、側面視における２つの電極体２５０の領域の全体のうちの熱の問題が生じやすい部分が、２枚の板材（１１１、１１２）及びその間の低熱伝導層１６０の配置範囲に収められる。
【０１９６】
その結果、仕切部材１１０によって、２つの蓄電素子２００の相互間の熱影響が効果的に抑制される。
【０１９７】
なお、図１９では、第一電極体２５０ａと第二電極体２５０ｂとは、Ｘ軸方向およびＺ軸方向の両方にずれて配置されているが、第一電極体２５０ａと第二電極体２５０ｂとがＸ軸方向およびＺ軸方向の一方にのみずれている場合であっても上記効果は奏される。
【０１９８】
（変形例５）
図２０は、実施の形態の変形例５に係る２つの蓄電素子２００とその間の仕切部材１１０との位置関係を示す正面図である。
【０１９９】
図２１は、実施の形態の変形例５に係る２つの電極体２５０の側面視における重複領域を示す図である。
【０２００】
図２０に示すように、本変形例における２つの蓄電素子２００（第一蓄電素子２００ａ、第二蓄電素子２００ｂ）は、上記実施の形態とは異なり、互いの大きさが異なっている。また、第一蓄電素子２００ａの第一電極体２５０ａと、第二蓄電素子２００ｂの第二電極体２５０ｂの大きさも互いに異なっている。
【０２０１】
本変形例では、このように互いに大きさの異なる第一蓄電素子２００ａと第二蓄電素子２００ｂとの間に、仕切部材１１０が配置されている。
【０２０２】
本変形例に係る仕切部材１１０は、上記実施の形態に係る仕切部材１１０と同じく、第一板材１１１及び第二板材１１２を有し、第一板材１１１と第二板材１１２との間に、低熱伝導層１６０が形成されている。
【０２０３】
本変形例に係る低熱伝導層１６０は、具体的には、側面視における第一電極体２５０ａと第二電極体２５０ｂとの重複領域Ａｃを含む領域において連続して形成されている。
【０２０４】
より詳細には、図２１に示すように、第一蓄電素子２００ａと第二蓄電素子２００ｂとは、側面視における第一電極体２５０ａの領域が、側面視における第二電極体２５０ｂの領域に含まれるように配置されている。
【０２０５】
この場合、側面視における２つの電極体２５０の重複領域Ａｃは、上記変形例４における重複領域Ａｂと同じく、他の領域と比較すると、２つの電極体２５０の一方からの熱が他方に影響を与えやすい領域である。
【０２０６】
従って、この重複領域Ａｃの奥行き方向（２つの蓄電素子２００の並び方向）の空間を遮断するように仕切部材１１０を配置する。これにより、側面視における第二電極体２５０ｂの領域のうちの、熱の問題が生じやすい部分である、側面視における第一電極体２５０ａの領域が、２枚の板材（１１１、１１２）及びその間の低熱伝導層１６０の配置範囲に収められる。
【０２０７】
その結果、仕切部材１１０によって、２つの蓄電素子２００の相互間の熱影響が効果的に抑制される。
【０２０８】
（他の実施の形態）
以上、本発明に係る蓄電装置について、実施の形態およびその変形例に基づいて説明した。しかしながら、本発明は、上記実施の形態およびその変形例に限定されるものではない。本発明の趣旨を逸脱しない限り、当業者が思いつく各種変形を上記実施の形態またはその変形例に施したものも、あるいは、上記説明された複数の構成要素を組み合わせて構築される形態も、本発明の範囲内に含まれる。
【０２０９】
例えば、仕切部材１１０は３枚以上の板材を有してもよい。仕切部材１１０は、例えば上記実施の形態に係る第一板材１１１及び第二板材１１２に加え、第三板材を有してもよい。この場合、第二板材１１２を挟んで、第一板材１１１とは反対側に、第二板材１１２との間隔をあけて第三板材を配置する。
【０２１０】
これにより、仕切部材１１０には、上述の低熱伝導層１６０に加え、第二板材１１２と第三板材との間に、低熱伝導層としての空気層が形成される。その結果、仕切部材１１０の断熱性がより向上する。
【０２１１】
なお、この場合、例えば支持部材１２０が、基部１２３における一対の壁部１２４の間に２つの凸部１２５を有することで、３枚の板材それぞれを隣接する板材と離した状態で支持することができる。具体的には、２つの凸部１２５の間に第二板材１１２が挿入され、２つの凸部１２５の一方と、一対の壁部１２４の一方との間に第一板材１１１が挿入される。また、２つの凸部１２５の他方と、一対の壁部１２４の他方との間に第三板材が挿入される。このようにして、３枚の板材が、２つの凸部１２５を有する支持部材１２０に支持される。
【０２１２】
また、例えば第二支持部材１２２が、位置決め部１５６（図８参照）と同様の突起を一対の壁部１２４の間に有してもよい。この場合、仕切部材１１０の下端部１１５に凹状の係合部１１７（図６参照）を設けることで、第二支持部材１２２の突起と係合部１１７とを係合させることができる。これにより、例えば第二支持部材１２２の仕切部材１１０に対する位置決めが容易となる。
【０２１３】
また、低熱伝導層１６０は空気以外の物質の層によって実現されてもよい。例えば、アルゴン等の不活性ガスの層が低熱伝導層１６０として採用されてもよい。
【０２１４】
また、低熱伝導層１６０は真空層によって実現されてもよい。つまり、仕切部材１１０が、真空断熱材としての機能を有してもよい。
【０２１５】
また、気体ではなく固体を含む層が、低熱伝導層１６０として採用されてもよい。例えば、熱伝導率が比較的に低いガラス繊維の層を、第一板材１１１と第二板材１１２との間に挟み込むことで、低熱伝導層１６０が形成されてもよい。
【０２１６】
このように、低熱伝導層１６０の少なくとも一部としてガラス繊維等の固体を採用することで、例えば、振動等により、第一板材１１１または第二板材１１２が変形した場合において、第一板材１１１と第二板材１１２との接触が抑制される。つまり、低熱伝導層１６０が固体を含むことにより、低熱伝導層１６０の厚みがゼロとなる部分が生じる可能性が低減される。
【０２１７】
なお、大気中で使用される蓄電装置１において、第一板材１１１および第二板材１１２を、所定の距離だけ離した状態で蓄電素子２００の側方に配置することで、低熱伝導層１６０としての空気層が形成される。そのため、低熱伝導層１６０として空気層を採用することは、低熱伝導層１６０を構成する材料を用意する必要がなく、かつ、空気の熱伝導率が非常に低い値である点において有利である。
【０２１８】
また、仕切部材１１０を支持する支持部材１２０は、一部が別体である必要はない。例えば、支持部材１２０の全体が、外装体本体１００の底面に一体に設けられた部材であってもよい。また、例えば、支持部材１２０の全体が、外装体本体１００に対して着脱可能な部材であってもよい。
【０２１９】
また、仕切部材１１０を支持する支持部材が、第一支持部材１２１、第二支持部材１２２、および第三支持部材１５０のうちの１つのみであってもよい。
【０２２０】
また、仕切部材１１０は、本実施の形態における上下方向（Ｚ軸方向）の両端部が支持された状態で、外装体本体１００に配置される（例えば図６参照）。しかし、仕切部材１１０は、例えば幅方向（Ｘ軸方向）の両端部が支持された状態で、外装体本体１００に配置されてもよい。
【０２２１】
また、本実施の形態では、２つの蓄電素子２００の間の空間を仕切るように仕切部材１１０が配置されている。しかし、仕切部材１１０は、蓄電素子２００と、蓄電素子２００以外の物体であって、熱を発する可能性のある他の物体（例えば電気回路など）との間に配置されてもよい。つまり、蓄電装置１が備える蓄電素子２００の個数は１であってもよい。この場合であっても、蓄電素子２００と当該他の物体との間の熱の移動の抑制が、仕切部材１１０によって効果的に実行される。
【０２２２】
また、それぞれが１以上の蓄電素子２００を含む２つの装置の間に、仕切部材１１０が配置されてもよい。
【０２２３】
例えば、単位モジュール１１と単位モジュール１２との間に、仕切部材１１０が配置されてもよい。また、例えば、蓄電装置１が複数並べられる場合、隣り合う２つの蓄電装置１の間に、仕切部材１１０が配置されてもよい。
【０２２４】
いずれの場合であっても、１つの装置（単位モジュールまたは蓄電装置）が発熱した場合において、当該装置に隣接する他の装置への熱の移動を、例えば空気層である低熱伝導層１６０を有する仕切部材１１０によって効果的に抑制することができる。
【０２２５】
すなわち、仕切部材１１０の支持の態様、及び、その側方に配置される物体（熱源となりうる物体、または、他からの熱の影響を排除したい物体）の種類に関わらず、２枚の板材（第一板材１１１及び第二板材１１２）及びその間に形成された低熱伝導層１６０による高い断熱効果を発揮させることは可能である。
【０２２６】
また、支持部材１２０に対する第一板材１１１および第二板材１１２の取り付けは、互いに独立して行うことができる。つまり、支持部材１２０に、第一板材１１１および第二板材１１２の一方のみを支持させることも可能である。このことは、第三支持部材１５０についても同じである。
【０２２７】
従って、例えば、高温となる可能性が低い物体の側方に配置される仕切部材１１０を、第一板材１１１および第二板材１１２の一方のみとすることも可能である。
【産業上の利用可能性】
【０２２８】
本発明は、１以上の蓄電素子を備える蓄電装置等に適用できる。
【符号の説明】
【０２２９】
１  蓄電装置
１０  モジュール群
１１、１２、１３  単位モジュール
１１ａ  正極外部端子カバー
１１ｂ  負極外部端子カバー
１４  外装体
２０  下側連結部材
３０  上側連結部材
１００  外装体本体
１０５  配置面部
１１０、１１０ａ、１１０ｂ、１１０ｃ、１７０  仕切部材
１１１  第一板材
１１２  第二板材
１１５  下端部
１１６  上端部
１１７  係合部
１１９  接続部
１２０  支持部材
１２１  第一支持部材
１２２、１２２ａ〜１２２ｆ  第二支持部材
１２３、１５３  基部
１２４、１５４  壁部
１２５、１５５  凸部
１５０  第三支持部材
１５６  位置決め部
１６０  低熱伝導層
２００  蓄電素子
２００ａ  第一蓄電素子
２００ｂ  第二蓄電素子
２１０  容器
２２０  容器蓋部
２２１  安全弁
２３０  正極端子
２４０  負極端子
２５０  電極体
２５０ａ  第一電極体
２５０ｂ  第二電極体
２６０  正極集電体
２７０  負極集電体
３００  流路形成部
４００  断熱材
５００  内蓋
６１０  正極外部端子
６２０  負極外部端子
６３０  バスバー
６４０  外部配線接続部
６５０  配線経路形成部
７００  基板
８００  蓋体
【図１】
2015211013.tif 000003
【図２】
2015211013.tif 000004
【図３】
2015211013.tif 000005
【図４】
2015211013.tif 000006
【図５】
2015211013.tif 000007
【図６】
2015211013.tif 000008
【図７】
2015211013.tif 000009
【図８】
2015211013.tif 000010
【図９】
2015211013.tif 000011
【図１０】
2015211013.tif 000012
【図１１】
2015211013.tif 000013
【図１２】
2015211013.tif 000014
【図１３】
2015211013.tif 000015
【図１４】
2015211013.tif 000016
【図１５】
2015211013.tif 000017
【図１６】
2015211013.tif 000018
【図１７】
2015211013.tif 000019
【図１８】
2015211013.tif 000020
【図１９】
2015211013.tif 000021
【図２０】
2015211013.tif 000022
【図２１】
2015211013.tif 000023